(57)【要約】【課題】本発明は、ズーム操作時においてズーム操作前と後でデジタルズーム画像を比較しながら任意のズーム画角を決定することを目的とする。【解決手段】デジタルカメラは、ズームレンズを駆動する駆動モータと、使用者による操作に基づいてズーム倍率の調整を受け付けるコントローラーと、ＣＣＤと、ＣＣＤが生成した画像データを可視画像として液晶モニタに表示させる画像処理部及びコントローラーと、ズームレンズの移動開始の指示を受け付けるコントローラーとを備える。そして画像処理部及びコントローラーは、コントローラーでズーム倍率の調整を受け付けた場合、ズーム倍率に基づいてＣＣＤで生成された画像データをデジタルズームし、デジタルズームした画像データを液晶モニタに表示させる一方、コントローラーで移動開始の指示を受け付けた場合、調整されたズーム倍率に基づいて駆動モータを制御する。【選択図】図２
2010141378.tif 000002
【特許請求の範囲】
【請求項１】
ズームレンズを有するレンズ系と、
前記レンズ系のズームレンズを駆動する駆動手段と、
使用者による操作に基づいてズーム倍率の調整を受け付ける受付手段と、
レンズ系を介した光学的信号に基づいて画像データを生成する撮像素子と、
表示装置と、
前記撮像素子が生成した画像データを可視画像として前記表示装置に表示させる表示制御手段と、
前記ズームレンズの移動開始の指示を受け付ける指示受付手段と、
を備え、
前記表示制御手段は、
前記受付手段でズーム倍率の調整を受け付けた場合、当該調整されたズーム倍率に基づいて前記撮像素子で生成された画像データをデジタルズームし、当該デジタルズームした画像データを前記表示装置に表示させる一方、
前記受付手段でズーム倍率の調整を受け付けた後に前記指示受付手段で移動開始の指示を受け付けた場合、前記調整されたズーム倍率に基づいて前記駆動手段を制御する、
撮像装置。
【請求項２】
前記表示制御手段は、
前記デジタルズームした画像データを前記表示装置に表示させる際、当該表示装置の画面サイズに適用するように前記デジタルズームした画像データに余白画像を組み合わせる、
請求項１に記載の撮像装置。
【請求項３】
ズームレンズを有するレンズ系と、
前記レンズ系のズームレンズを駆動する駆動手段と、
使用者による操作に基づいてズーム倍率の調整を受け付ける受付手段と、
レンズ系を介した光学的信号に基づいて画像データを生成する撮像素子と、
表示装置と、
前記撮像素子で生成される画像データの一部を可視画像として前記表示装置に表示させるトリミングモードに設定する設定手段と、
前記設定手段によって自装置がトリミングモードに設定された場合において、前記撮像素子が生成した画像データの一部を可視画像として前記表示装置に表示させるトリミング表示制御手段と、
前記ズームレンズの移動開始の指示を受け付ける指示受付手段と、
を備え、
前記トリミング表示制御手段は、
前記受付手段でズーム倍率の調整を受け付けた場合、当該調整されたズーム倍率に基づいて前記撮像素子で生成された画像データをデジタルズームし、前記表示装置の画面サイズに適用するサイズで当該デジタルズームした画像データをトリミングし、当該トリミングした画像データを前記表示装置に表示させる一方
前記受付手段でズーム倍率の調整を受け付けた後に前記指示受付手段で移動開始の指示を受け付けた場合、前記調整されたズーム倍率に基づいて前記駆動手段を制御する、
撮像装置。
【発明の詳細な説明】
【技術分野】
【０００１】
本発明は、デジタルスチルカメラやビデオカメラ等の撮像装置に関する。より詳しくは、ズームレンズを備え、光学的に被写体像の拡大又は縮小ができる撮像装置に関する。
【背景技術】
【０００２】
従来の撮像装置としては、下記の特許文献１に記載されるようなものが存在する。この撮像装置は、ズームイン操作を行う際に、広角端の画面に操作量に伴ったズーム画角枠を表示することで、広角端の画像と比較しながら任意のズーム画角における撮像範囲を確認できるようにしたものである。
【特許文献１】特開平８−１８８３３号公報
【発明の開示】
【発明が解決しようとする課題】
【０００３】
しかしながら、このような装置ではズームアウト操作において、操作前と操作後の画像を比較しながら任意のズーム画角を決定することができず、構成を決めづらいという問題が生ずる。
【０００４】
また、ズーム画角を表示しながらズームイン操作を行う際に、常に広角端にレンズが移動するため、上記操作を行うたびにレンズの磨耗や電力消費が起こる。
【０００５】
そこで本発明では上記課題を解決するために、ズームアウト操作においてズーム操作前と後でデジタルズーム画像を比較しながら任意のズーム画角を決定でき、また、ズームレンズの駆動を軽減して、駆動部の磨耗と電力消費を軽減できる撮像装置を提供することを目的とする。
【課題を解決するための手段】
【０００６】
本発明は、ズームレンズを有するレンズ系と、前記レンズ系のズームレンズを駆動する駆動手段と、使用者による操作に基づいてズーム倍率の調整を受け付ける受付手段と、レンズ系を介した光学的信号に基づいて画像データを生成する撮像素子と、表示装置と、前記撮像素子が生成した画像データを可視画像として前記表示装置に表示させる表示制御手段と、前記ズームレンズの移動開始の指示を受け付ける指示受付手段と、を備える。前記表示制御手段は、前記受付手段でズーム倍率の調整を受け付けた場合、当該調整されたズーム倍率に基づいて前記撮像素子で生成された画像データをデジタルズームし、当該デジタルズームした画像データを前記表示装置に表示させる一方、前記受付手段でズーム倍率の調整を受け付けた後に前記指示受付手段で移動開始の指示を受け付けた場合、前記調整されたズーム倍率に基づいて前記駆動手段を制御する。
【０００７】
このようにすれば、撮像装置は、ズーム倍率の調整を受け付けた場合、ズーム倍率に応じて画像データをデジタルズームし、デジタルズームした画像データを表示できる。そして、撮像装置は、ズームの移動開始の指示を受け付けた場合、以前に受け付けたズーム倍率に応じて、ズームレンズを駆動することができる。
【０００８】
また、好ましくは、前記表示制御手段は、前記デジタルズームした画像データを前記表示装置に表示させる際、当該表示装置の画面サイズに適用するように前記デジタルズームした画像データに余白画像を組み合わせる。
【０００９】
このようにすれば、撮像装置は、デジタルズームした画像データが、表示装置の画面サイズと適用できなくなった場合であっても、表示画面にあった画面サイズで、画像データを含む可視画像を表示できるようになる。
【００１０】
他の形態では、ズームレンズを有するレンズ系と、前記レンズ系のズームレンズを駆動する駆動手段と、使用者による操作に基づいてズーム倍率の調整を受け付ける受付手段と、レンズ系を介した光学的信号に基づいて画像データを生成する撮像素子と、表示装置と、前記撮像素子で生成される画像データの一部を可視画像として前記表示装置に表示させるトリミングモードに設定する設定手段と、前記設定手段によって自装置がトリミングモードに設定された場合において、前記撮像素子が生成した画像データの一部を可視画像として前記表示装置に表示させるトリミング表示制御手段と、前記ズームレンズの移動開始の指示を受け付ける指示受付手段と、を備える。そして前記トリミング表示制御手段は、前記受付手段でズーム倍率の調整を受け付けた場合、当該調整されたズーム倍率に基づいて前記撮像素子で生成された画像データをデジタルズームし、前記表示装置の画面サイズに適用するサイズで当該デジタルズームした画像データをトリミングし、当該トリミングした画像データを前記表示装置に表示させる一方、前記受付手段でズーム倍率の調整を受け付けた後に前記指示受付手段で移動開始の指示を受け付けた場合、前記調整されたズーム倍率に基づいて前記駆動手段を制御する。
【００１１】
このようにすれば、撮像装置は、画像データの一部を表示するトリミングモードに設定された場合において、ズーム倍率の調整を受け付けた場合、一部の画像データだけでなく、他の画像データを利用して、表示装置に可視画像を表示させることができる。
【発明の効果】
【００１２】
すなわち、本発明によれば、ズーム操作においてズーム操作前と後でデジタルズーム画像を比較しながら任意のズーム画角を決定でき、また、ズームレンズの駆動を軽減して、駆動部の磨耗と電力消費を軽減できる。
【発明を実施するための最良の形態】
【００１３】
（実施の形態１）
以下、本発明の一実施の形態に係る撮像装置を説明する。実施の形態１は、デジタルカメラ１０に適用した例を説明する。以下、デジタルカメラ１０の構成について図面を参照して説明する。
【００１４】
１．構成
図１は、本発明の実施の形態１に係るデジタルカメラ１０の斜視図である。図２は、本発明の実施の形態１にかかるデジタルカメラ１０の構成を示すブロック図である。
【００１５】
レンズユニット１１は、稼動可能なズームレンズ２０を含む複数のレンズから構成される。レンズユニット１１は、被写体からの光学的信号を集光してＣＣＤイメージセンサー２０上に被写体像を形成する。ＣＣＤイメージセンサー２０は、被写体像を撮像して画像データを生成する撮像素子である。撮像素子としては、ＣＣＤイメージセンサー２０に替えてＣＭＯＳイメージセンサー等を用いることができる。ＡＦＥ２１は、ＣＤＳ、ＡＤコンバータ等を備えて構成される。ＡＤコンバータは、ＣＣＤイメージセンサー２０で生成された画像データをデジタルに変換する。
【００１６】
駆動モータ１３は、コントローラー４０からのズーム倍率に伴った制御に応じて、レンズユニット内のズームレンズ１２の位置を調整するものである。
【００１７】
画像処理部３０は、デジタル化された画像データに対して所定の処理を施す。所定の処理としては、ガンマ変換、ＹＣ変換、電子ズーム（デジタルズーム）処理、圧縮処理、伸張処理など考えられるが、これに限定されるものではない。なお、画像処理部３０は、デジタル化された画像データを、液晶モニタ３１に出力可能である。また、画像処理部３０は、バッファメモリに記憶された画像を液晶モニタ３１に出力することも可能である。これによって、液晶モニタ３１は、画像データや画像を表示可能である。
【００１８】
バッファメモリ４０は、画像処理部３０で画像処理を行う際、及び、コントローラー４０で制御処理を行う際に、ワークメモリとして作用する。バッファメモリ４０は、例えば、ＤＲＡＭなどで実現可能である。
【００１９】
フラッシュメモリ４１は、内蔵メモリとして用いられる。フラッシュメモリ４１は、画像データの他に、コントローラー４０の制御のためのプログラムや設定値などを記憶可能である。
【００２０】
コントローラー４０は、デジタルカメラ１０の各部を制御するものである。コントローラー４０はマイクロコンピューターで実現してもよく、ハードワイヤードな回路で実現してもよい。要するに、コントローラー４０は、自装置を制御できるものであればよい。
【００２１】
カードスロット６０は、メモリカード６１を着脱するためのスロットである。カードスロット６０は、メモリカード６１を制御する機能を有するようにしてもよい。メモリカード６１は、フラッシュメモリなどを内蔵する。メモリカード６１は、撮像画像データ等を格納可能である。
【００２２】
液晶モニタ３１は、画像データやデジタルカメラ１０の各種の設定を示す画像を表示する。なお、液晶モニタ３１に替えて、有機ＥＬディスプレイで構成してもよい。
【００２３】
電源７０は、デジタルカメラ１０の各部に電力を供給するものである。電源７０は、着脱可能に構成されてもよいし、内蔵されていてもよい。電源７０は、図示しない電源スイッチがＯＮに設定されると、デジタルカメラ１０の各部に電力を供給する。
【００２４】
プッシュ釦５０は、デジタルカメラ１０の外装に取り付けられるものである。プッシュ釦５０は、ユーザからの半押し及び全押しを受け付けることができるように構成されている。プッシュ釦５０は、ユーザによって半押し操作されると、半押しされている間、半押信号をコントローラー４０に出力しつづける。また、プッシュ釦５０は、ユーザによって全押し操作されると、全押しされている間、全押信号をコントローラー４０に出力し続ける。なお、コントローラー４０は、ズームレンズの移動開始の指示を受付できるように構成されている。したがって、コントローラー４０は、所定のタイミングで、プッシュ釦５０からの半押信号を受け付けると、受け付けた半押信号を移動開始の指示として判断する。なお、所定のタイミングについては、後述する。
【００２５】
ズームレバー５１は、デジタルカメラ１０の外装に取り付けられるものである。ズームレバー５１は、２方向の操作を受け付けできるように構成されている。ズームレバー５１は、ユーザによって操作されると、操作方向に応じて、方向を示す信号をコントローラー４０に出力する。コントローラー４０では、方向を示す信号によって、ズーム倍率が調整される。そして、コントローラー４０は、調整されたズーム倍率に基づいて、各種動作を行なう。各種動作については、下記で詳しく説明する。
【００２６】
なお、図示しないが、本実施の形態では、デジタルカメラ１０をトリミングモードに設定可能に構成されている。トリミングモードとは、ＣＣＤイメージセンサー２０で得られた画像データの一部を、可視画像として液晶モニタ３１に表示させるものである。すなわち、デジタルカメラ１０は、トリミングモードに設定されると、画像処理部３０で、画像データの一部を切り出す。そして、デジタルカメラ１０は、切り出された画像データを可視画像に変換して、液晶モニタ３１に表示させる。ここでトリミングモードへの設定は、デジタルカメラ１０の外装に設けられるモード切替釦の切り換えをコントローラー４０が受け付けることで設定可能である。すなわち、ユーザは、モード切替釦を操作することで、デジタルカメラ１０のモードをトリミングモードに設定することができる。
【００２７】
具体的な動作を説明しておく。モード切替釦は、トリミングモード「ＯＮ」と「ＯＦＦ」の間を切り換え可能に構成されている。モード切替釦は、「ＯＦＦ」側に設定されているとする。この場合、ユーザによってモード切替釦が「ＯＮ」側に操作されると、モード切替釦から「ＯＮ」の設定信号がコントローラー４０に送信される。コントローラー４０は、設定信号を受け付けると、この設定信号に応じてデジタルカメラ１０の各部を制御し、モード設定する。この場合、コントローラー４０は、デジタルカメラ１０の各部を制御し、トリミングモードに設定する。これによって、デジタルカメラ１０は、トリミングモードに設定され、デジタルカメラ１０の各部を、画像データの一部が可視画像として表示されるように制御する。
【００２８】
２．実施の形態の本発明の対応関係
デジタルカメラ１０は、撮像装置の一例である。レンズユニット１１は、レンズ系の一例である。ズームレンズ１２は、ズームレンズの一例である。駆動モータ１３は、駆動手段の一例である。コントローラー４０は、受付手段の一例である。ＣＣＤイメージセンサー２０は、撮像素子の一例である。液晶モニタ３１は、表示装置の一例である。画像処理部３０及びコントローラー４０は、表示制御手段の一例である。コントローラー４０は、指示受付手段の一例である。コントローラー４０は、設定手段の一例である。画像処理部３０及びコントローラー４０は、トリミング表示制御手段の一例である。
【００２９】
３．動作
以上のように構成されたデジタルカメラ１０の動作例を、図４を用いて説明する。この動作例では、デジタルカメラ１０(コントローラー４０)が電源ＯＮの状態において、液晶モニタ３１に、ＣＣＤイメージセンサー２０から得られた画像データが可視画像として表示されていた後の動作を説明する。バッファメモリ４１には、ズーム開始フラグが「０」として設定されているものとする。また、デジタルカメラ１０は、ズーム倍率が１倍、つまり、広角側に設定された状態から説明を行なう。この際、バッファメモリ４１には、光学ズーム倍率が「１」として設定されているものとする。
【００３０】
図４でコントローラー４０の動作例を説明する。コントローラー４０は、ズームレバー５１から方向を示す信号を受け付けたか否かを判別する（Ｓ１）。コントローラー４０は、ズームレバー５１から方向を示す信号を受け付けると、バッファメモリ４１に記憶されたズーム開始フラグを「１」にする（Ｓ２）。コントローラー４０は、この受け付けた方向を示す信号に基づいてズーム倍率を調整する（Ｓ３）。コントローラー４０は、調整されたズーム倍率をバッファメモリ４１に記憶する（Ｓ４）。例えば、コントローラー４０は、調整されたズーム倍率（例えば、４倍の場合「４」）をバッファメモリ４１に記憶する。ステップＳ４の後、ステップＳ５に移行する。本実施の形態で、上述した所定のタイミングとは、ズーム開始フラグが「１」に設定された状態のことをいう。
【００３１】
一方、コントローラー４０は、ズームレバー５１から方向を示す信号を受け付けていない場合、ズームレバー５１に記憶されたズーム開始フラグが「１」であるか否かを判別する（Ｓ８）。コントローラー４０は、ズーム開始フラグが「１」である場合、ステップＳ５に移行する。一方、コントローラー４０は、ズーム開始フラグが「１」でない場合、ステップＳ１に移行する。
【００３２】
コントローラー４０は、プッシュ釦５０からの半押信号を受け付けたか否かを判別する（Ｓ５）。
【００３３】
コントローラー４０は、半押信号を受け付けた場合、バッファメモリ４１に記憶されたズーム開始フラグを「０」にする（Ｓ６）。この後、コントローラー４０は、バッファメモリ４１に記憶されたズーム倍率に基づいて、駆動モータ１３を制御する（Ｓ７）。駆動モータ１３は、受け付けたズーム倍率を示す信号で、ズームレンズ１２を駆動する。この際、コントローラー４０は、バッファメモリに現在記憶されているズーム倍率（例えば、「４」）を、光学ズーム倍率として記憶する。Ｓ７の処理後、開始まで戻って、ステップＳ１の動作をする。
【００３４】
一方コントローラー４０は、半押信号を受け付けていない場合、ステップＳ１に移行する。
【００３５】
図５で画像処理部３０の動作例を説明する。画像処理部３０は、ＣＣＤイメージセンサー２０から得た画像データ（1フレーム分）を、液晶モニタ３１に表示させる際、以下の処理を行う。なお、画像処理部３０は、任意の画像処理（例えば、ガンマ変換、ＹＣ変換）を施した後に、下記の動作を行なう。
【００３６】
画像処理部３０は、バッファメモリ４１に記憶されたズーム開始フラグが「１」か否かを判別する（Ｔ１）。
【００３７】
画像処理部３０は、ズーム開始フラグが「１」でない場合、トリミングモードであるか否かを判別する（Ｔ９）。画像処理部３０は、トリミングモードでない場合、画像データを液晶モニタ３１に表示させる（Ｔ１０）。一方、画像処理部３０は、トリミングモードである場合、所定の画素サイズで画像データを切り取り、液晶モニタ３１に表示させる（Ｔ１１）。
【００３８】
一方、画像処理部３０は、ズーム開始フラグが「１」である場合、バッファメモリ４１からズーム倍率を読み出す（Ｔ２）。画像処理部３０は、ＣＣＤイメージセンサー２０から得られた画像データを、バッファメモリ４１から読み出したズーム倍率に基づいてデジタルズームする（Ｔ３）。デジタルズームとは、画像データを電子的に拡大又は縮小することをいう。例えば、画像処理部３０は、調整されることで記憶されたズーム倍率「４」と光学ズーム倍率「１」に基づいて、デジタルズーム倍率を算出し、デジタルズームする。画像処理部３０は、調整されることで記憶されたズーム倍率「４」を光学ズーム倍率「１」で除算することで、デジタルズーム倍率を求める。つまり、算出されたデジタルズーム倍率は、「４」になる。画像処理部３０は、この算出されたデジタルズーム倍率で画像データをデジタル拡大する。
【００３９】
画像処理部３０は、現在設定されたモードがトリミングモードであるか否かを判別する（Ｔ４）。画像処理部３０は、トリミングモードに設定されていない場合、液晶モニタ３１の画面サイズに最適になるようにデジタルズームされた画像データに余白画像データを組み合わせる（Ｔ５）。画像処理部３０は、組み合わされた画像データを液晶モニタ３１に表示させる（Ｔ６）。例えば、図３（Ａ）の左図のように表示されていた画面が、中央図のようになる。なお、コントローラー４０で、ズームレンズの移動開始の指示を受け付けた場合、コントローラー４０がズームレンズ１２を駆動し、画像処理部３０が、ステップＴ１０の動作を行なうことで画像データを液晶モニタ３１に表示させる。これに基づき、液晶モニタ３１には、図３（Ａ）の右図のような画面が表示される。
【００４０】
ここで余白画像データは、バッファメモリ４１に記憶されている、又は、フラッシュメモリ４２に予め記憶されており、コントローラー４０によってバッファメモリ４１から読み出されたものが考えられる。
【００４１】
一方、画像処理部３０は、トリミングモードに設定されていない場合、液晶モニタ３１の画面サイズに最適になるようにデジタルズームされた画像データをトリミングする（Ｔ７）。また画像処理部３０は、トリミングされたが画像データを液晶モニタ３１に表示させる（Ｔ８）。例えば、図３（Ｂ）の左図のように表示されていた画面が、中央図のようになる。なお、コントローラー４０で、ズームレンズの移動開始の指示を受け付けた場合、コントローラー４０がズームレンズ１２を駆動し、画像処理部３０が、ステップＴ１１の動作を行なうことで画像データを液晶モニタ３１に表示させる。これに基づき、液晶モニタ３１には、図３（Ｂ）の右図のような画面が表示される。
【００４２】
つまり、本実施の形態によれば、ズーム操作時において、例えば、図３（Ａ）の中央のようなデジタルズーム画像を表示させる。そして、ズーム操作後のズーム移動開始の指示に応じて、ズームレンズを駆動させる。これによって、デジタルカメラ１０は、ズーム操作時においてズーム操作前と後でデジタルズーム画像を比較しながら任意のズーム画角を決定でき、また、ズームレンズの駆動を軽減して、駆動部の磨耗と電力消費を軽減できる。さらに、ズームレンズの駆動を伴わずに画角を決定できるため、より素早い画角変更が可能になる。
【００４３】
４．まとめ
本実施の形態におけるデジタルカメラ１０は、ズームレンズ１２を有するレンズユニット１１と、ズームレンズ１２を駆動する駆動モータ１３と、使用者による操作に基づいてズーム倍率の調整を受け付けるコントローラー４０と、レンズユニット１１を介した光学的信号に基づいて画像データを生成するＣＣＤイメージセンサー２０と、液晶モニタ３１と、ＣＣＤイメージセンサー２０が生成した画像データを可視画像として液晶モニタ３１に表示させる画像処理部３０及びコントローラー４０と、ズームレンズ１２の移動開始の指示を受け付けるコントローラー４０と、を備える。そして画像処理部３０及びコントローラー４０は、コントローラー４０でズーム倍率の調整を受け付けた場合、調整されたズーム倍率に基づいてＣＣＤイメージセンサー２０で生成された画像データをデジタルズームし、デジタルズームした画像データを液晶モニタ３１に表示させる一方、コントローラー４０で移動開始の指示を受け付けた場合、コントローラー４０で調整されたズーム倍率に基づいて駆動モータ１３を制御する。
【００４４】
このようにすれば、デジタルカメラ１０は、ズーム操作時においてズーム操作前と後でデジタルズーム画像を比較しながら任意のズーム画角を決定でき、また、ズームレンズの駆動を軽減して、駆動部の磨耗と電力消費を軽減できる。
【００４５】
（他の実施の形態）
本発明の実施の形態として、実施の形態１を例示した。しかし、本発明は、実施の形態１に限定されず、他の実施の形態においても実現可能である。そこで、本発明の他の実施の形態を以下にまとめて説明する。
【００４６】
本実施の形態では、スルー画像（モニタ画像）を液晶モニタに表示する際の動作について説明を行なった。しかし、これに限られず、動画撮影時において、本実施の形態の動作を行なうようにするとより好ましい。このようにすれば、ズームレンズの駆動回数が減るため、音声付き動画撮影時において、撮影される動画像データにレンズ駆動音が雑音として録音される可能性が低くなる。また、ズームレンズの駆動を伴わずに画角を決定できるため、動画撮影時において、画角変更のスムーズな動画像データを得ることができる。
【００４７】
本発明の実施の形態は、デジタルカメラ１０に適用した例を説明した。しかし、これに限られず、デジタルカメラ、ムービー、カメラ付き携帯端末等に適用可能である。すなわち、本発明は、上記実施の形態に限られず、種々の形態で実施可能である。
【産業上の利用可能性】
【００４８】
本発明は、デジタルカメラ、ムービー、カメラ付き携帯端末等に利用できる。
【図面の簡単な説明】
【００４９】
【図１】本発明の実施の形態に係るデジタルカメラの斜視図
【図２】本発明の実施の形態に係るデジタルカメラの構成図
【図３】本発明の実施の形態に係る表示画面例を示す図
【図４】本発明の実施の形態に係るコントローラー４０の動作例を示すフローチャート
【図５】本発明の実施の形態に係る画像処理部３０の動作例を示すフローチャート
【符号の説明】
【００５０】
１０    デジタルカメラ
１１    レンズユニット
１２    ズームレンズ
１３    駆動モータ
２０    ＣＣＤイメージセンサー
２１    ＡＦＥ
３０    画像処理部
３１    液晶モニタ
４０    コントローラー
４１    バッファメモリ
４２    フラッシュメモリ
５０    プッシュ釦
５１    ズームレバー
６０    カードスロット
６１    メモリカード
７０    電源
【図１】
2010141378.tif 000003
【図２】
2010141378.tif 000004
【図３】
2010141378.tif 000005
【図４】
2010141378.tif 000006
【図５】
2010141378.tif 000007